(57)【特許請求の範囲】
【請求項１】
情報を再生して出力する第１の出力ソースと、記録速度に関する記録モードを複数有し前記第１の出力ソースから出力された情報をいずれかの記録速度で記録可能な第１の記録ソースと、を備えた録再装置において、
前記第１の出力ソースが選択された場合にこの第１の出力ソースに対応した第１の絵図を表示する第１の表示部と、
前記第１の記録ソースが選択された場合にこの第１の記録ソースに対応した第２の絵図を表示する第２の表示部と、を備え、
前記第１の出力ソースによる情報の再生速度は、前記第１の記録ソースの記録速度に対応するものであり、
前記第１の出力ソースで再生された情報を、前記第１の記録ソースがいずれかの記録速度で記録中に、第２の表示部は、前記第１の記録ソースで実行中の記録速度に対応した速度で前記第２の絵図の表示を動画表現で変化させ、第１の表示部は、前記第１の出力ソースで実行中の再生速度に対応した速度で前記第１の絵図の表示を動画表現で変化させ、
ワンタッチ操作で、前記第１の出力ソース及び前記第１の記録ソースを選択し、前記第１の出力ソースの再生速度と前記第１の記録ソースの記録速度とを等しく設定し、前記第１の出力ソースから出力された情報を前記第１の記録ソースで記録し、前記第１の出力ソースに対応した第１の絵図及び前記第１の記録ソースに対応した第２の絵図の表示の動画表現の変化を同期させるワンタッチキーをさらに備えたことを特徴とする録再装置。
【請求項２】
前記第１の表示部に第１の所定点が設定され、前記第２の表示部に第２の所定点が設定され、前記第１の絵図の動画は、前記第１の所定点を表示点として含み、前記第２の絵図の動画は、前記第２の所定点を表示点として含んでいることを特徴とする請求項１記載の録再装置。
【請求項３】
情報を出力する前記第１の出力ソースとは異なる第２の出力ソースと、
前記第１の出力ソース又は前記第２の出力ソースから出力された情報を記録可能な前記第１の記録ソースとは異なる第２の記録ソースと、をさらに備え、
前記第２の出力ソースに対応して前記第１の表示部に表示される第３の絵図が定められ、
前記第２の記録ソースに対応して前記第２の表示部に表示される第４の絵図が定められ、
前記第１の出力ソースと前記第１の記録ソースとの組み合わせとは異なる情報の出力に選択された出力ソースとこの情報の記録に選択された記録ソースとの組み合わせについても、
前記第１の表示部は、前記選択された出力ソースに対応した絵図を前記第１の所定点を表示点として含んで表示し、
前記第２の表示部は、前記選択された記録ソースに対応した絵図を前記第２の所定点を表示点として含んで表示することを特徴とする請求項２に記載の録再装置。
【請求項４】
前記選択された出力ソースによる情報の再生速度は、前記選択された記録ソースの記録速度に対応するものであり、
前記選択された出力ソースで再生された情報を、前記選択された記録ソースがいずれかの記録速度で記録中に、前記第１の表示部は、前記選択された出力ソースで実行中の再生速度に対応した速度で前記絵図の表示を動画表現で変化させ、
前記第２の表示部は、前記選択された記録ソースで実行中の記録速度に対応した速度で前記絵図の表示を動画表現で変化させる、ことを特徴する請求項３に記載の録再装置。
【請求項５】
前記第１の表示部と、前記第２の表示部と、前記第１の出力ソース又は前記第２の出力ソースを選択する出力ソース選択手段と、前記第１の記録ソース又は前記第２の記録ソースを選択する記録ソース選択手段とは、装置本体の同一の操作パネル面内に配設されていることを特徴とする請求項１〜４のいずれかに記載の録再装置。
【請求項６】
前記第１の表示部と前記第２の表示部とは、１個の表示面内の異なる領域を占めて、設けられていることを特徴とする請求項１〜５のいずれかに記載の録再装置。
【請求項７】
絵図の動画表現は、絵図の形状を保持しつつ色の変化及び／又は該絵図を構成する少なくとも一部画素の点滅となっていることを特徴とする請求項１〜６のいずれかに記載の録再装置。
【請求項８】
選択された記録ソースに対応した絵図には、前記記録ソースへの記録の許可／不許可状態を示す絵図部分が含まれていることを特徴とする請求項１〜７のいずれかに記載の録再装置。
【請求項９】
記録ソースがカセットである場合に、記録モードとしてノーマル、ハイ、及びメタルが設定され、カセットが記録ソースとして選択されたときの記録ソースに対応した絵図には、ノーマル、ハイ、及びメタルを示す絵図部分が含まれていることを特徴とする請求項１〜８のいずれかに記載の録再装置。
【請求項１０】
出力ソース及び記録ソースについて、それらソースの装填状態及び未装填状態の絵図が設定され、ユーザにより選択された出力ソース及び記録ソースについて、ソースの装填状態及び未装填状態に応じて前記装填状態及び未装填状態の絵図をそれぞれ表示することを特徴とする請求項１〜９のいずれかに記載の録再装置。
【発明の詳細な説明】
【０００１】
【発明の属する技術分野】
この発明は、例えばＣＤ及びＭＤ等の種々のソースについて再生及び記録処理自在の録再装置に係り、詳しくは記録中の表示を改善した録再装置に関するものである。
【０００２】
【従来の技術】
例えば、ＣＤからＭＤへ楽曲をダビングする場合、ＭＤの記録速度には、通常速の他に倍速が用意されているオーディオ装置が知られている。
【０００３】
【発明が解決しようとする課題】
従来のオーディオ装置本体では、記録速度は所定のＬＥＤの点灯やディスプレーにおける文字表示等によりユーザへ示されている。しかし、ユーザが記録速度を知ろうとする場合には、どのＬＥＤの点灯が記録速度を示しているものか理解できず、あるいはディスプレーの文字を読まなければならず、迅速に理解できなかった。
【０００４】
この発明の目的は、実行中の記録モードをユーザに迅速に分からせることのできる録再装置を提供することである。
【０００５】
【課題を解決するための手段】
この発明の録再装置は、情報を出力する第１の出力ソースと、記録モードを複数有し前記第１の出力ソースから出力された情報をいずれかの記録モードで記録可能な第１の記録ソースと、を備えている。この録再装置は、さらに、第１の出力ソースが選択された場合にこの第１の出力ソースに対応した第１の絵図を表示する第１の表示部と、第１の記録ソースが選択された場合にこの第１の記録ソースに対応した第２の絵図を表示する第２の表示部と、を備えている。第１の出力ソースから出力された情報を、第１の記録ソースがいずれかの記録モードで記録中に、第２の表示部は、第１の記録ソースで実行中の記録モードに対応した第２の絵図の表示を動画表現で変化させる。
【０００６】
情報には、オーディオ情報及びビジュアル情報の両方の場合だけでなく、オーディオ情報のみの場合、及びビジュアル情報のみの場合も含むものとする。出力ソースには、例えば、チューナ、ＣＤ（コンパクトディスク）、ＭＤ（ミニディスク）、カセットテープ、ＤＶＤ（ディジタルビデオディスク）等が含まれる。記録ソースには、例えば、ＭＤ、及びカセットテープ等が含まれる。なお、ＭＤのように、同一のソースが、或る時には出力ソースに、また、別の或る時にはも記録ソースにもなることがある。さらに、同種のソースを複数個、装填し、その同種ソースにおいて第１のものを再生し、第２のものを記録できるようにしている録再装置では、同種のソースが出力ソース及び記録ソースとして選択されることもある。
【０００７】
ユーザにより選択された出力ソースに対応した絵図及び記録ソースに対応した絵図について、ユーザが出力ソース側及び記録ソース側を見分けられるようにするためには、例えば次の（ａ）及び（ｂ）がある。
（ａ）第１及び第２の表示部を同一のディスプレー内の異なる特定の場所にそれぞれ設定し、ディスプレーにおける表示場所で区別する方式。例：出力ソースに対応した絵図及び記録ソースに対応した絵図を、同一ディスプレー内においてそれぞれ左側及び右側に配置したり、それぞれ上側及び下側に配置したりする。
（ｂ）ディスプレーにおいて出力ソースに対応した絵図から記録ソースに対応した絵図へ向かって矢印を表示し、矢元が出力ソースに対応した絵図であり、矢先が記録ソースに対応した絵図であるようにする。
【０００８】
絵図の動画表現の変化には、輪郭が変化したり、輪郭が移動したり、輪郭を構成する画素が色変化したり、点滅したりする等がある。
【０００９】
記録モードが記録速度の相違による記録モードである場合には、実行中の記録モードに対応する、記録ソースに対応した絵図の動画表現は、例えば、絵図の表示変化としての回転速度が、低記録速度及び高記録速度においてそれぞれ低速及び高速となるようなものである。
【００１０】
こうして、ユーザは記録ソースに対応した絵図の動画表現から、実行している記録モードを迅速に把握できる。
【００１１】
この発明の録再装置によれば、第１の記録ソースの記録モードは、記録速度に関するものである。
【００１２】
記録速度には、例えば、通常速及び倍速（＝２倍速）がある。
【００１３】
この発明の録再装置によれば、第１の出力ソースによる情報の再生速度は、第１の記録ソースの記録速度に対応するものである。第１の出力ソースで再生された情報を、第１の記録ソースがいずれかの記録速度で記録中に、第１の表示部は、第１の出力ソースで実行中の再生速度に対応した第１の絵図の表示を動画表現で変化させる。
【００１４】
出力ソースにおける再生速度と記録ソースにおける記録速度とは、通常はほぼ等しいが、等しくなくてもよい。例えば、出力ソースが再生した再生信号を、直接、記録ソースに記録せず、一旦、半導体メモリ等に書き込んでから、それを読み出して、記録ソースに記録するようにすれば、出力ソースにおける再生速度と記録ソースにおける記録速度とが相違していても、出力ソースから記録ソースへの情報の記録は可能である。しかし、その場合、出力ソースにおける再生速度及び記録ソースにおける記録速度の速い方が、遅い方に合わせるために、適宜、処理休止状態になる。
【００１５】
出力ソース及び記録ソースの両方の絵図の動画表現の変化が、再生速度及び記録速度に対応するものとなることにより、ユーザは明確かつ実行中の記録速度を迅速に知ることができる。
【００１６】
この発明の録再装置によれば、第１の表示部に第１の所定点が設定され、第２の表示部に第２の所定点が設定され、  第１の絵図の動画は、第１の所定点を表示点として含み、第２の絵図の動画は、第２の所定点を表示点として含んでいる。
【００１７】
出力ソース及び記録ソースに対応した各絵図は、動画表現の変化中、第１及び第２の表示部における表示場所を固定されているときは、当然に、それぞれ第１及び第２の所定点を表示点として含んでいる。
【００１８】
出力ソース及び記録ソースに対応した絵図の動画が、それぞれ第１及び第２の所定点を表示点として含んでいることにより、それぞれ第１及び第２の表示部における表示場所が限定され、結果、それらの表示に必要な表示面積の節約を図ることができる。
【００１９】
この発明の録再装置は、情報を出力する第１の出力ソースとは異なる第２の出力ソースと、第１の出力ソース又は第２の出力ソースから出力された情報を記録可能な第１の記録ソースとは異なる第２の記録ソースと、をさらに備えている。第２の出力ソースに対応して第１の表示部に表示される第３の絵図が定められ、第２の記録ソースに対応して第２の表示部に表示される第４の絵図が定められ、第１の出力ソースと第１の記録ソースとの組み合わせとは異なる情報の出力に選択された出力ソースとこの情報の記録に選択された記録ソースとの組み合わせについても、第１の表示部は、選択された出力ソースに対応した絵図を第１の所定点を表示点として含んで表示し、第２の表示部は、選択された記録ソースに対応した絵図を第２の所定点を表示点として含んで表示する。
【００２０】
第１の出力ソース及び第１の記録ソースの組み合わせとは別の組み合わせ、すなわち第２の出力ソース及び第２の記録ソースの組み合わせが選択されたときも、それらに対応する第３及び第４の絵図の動画が、それぞれ第１及び第２の所定点を表示点として含んでいることにより、ディスプレーにおける表示場所が限定され、結果、それらの表示に必要なディスプレー面積の節約を図ることができる。
【００２１】
この発明の録再装置によれば、選択された出力ソースによる情報の再生速度は、選択された記録ソースの記録速度に対応するものである。選択された出力ソースで再生された情報を、選択された記録ソースがいずれかの記録速度で記録中に、第１の表示部は、選択された出力ソースで実行中の再生速度に対応した絵図の表示を動画表現で変化させ、第２の表示部は、選択された記録ソースで実行中の記録速度に対応した絵図の表示を動画表現で変化させる。
【００２２】
出力ソース及び記録ソースの任意の組み合わせにおいても、第１及び第２の表示部に表示される出力ソース及び記録ソースはそれぞれ実行中の再生速度及び記録速度に対応した動画表現の絵図とされ、ユーザは該動画表現の絵図から再生速度及び記録速度を円滑に認識できる。
【００２３】
この発明の録再装置によれば、第１の表示部と、第２の表示部と、第１の出力ソース又は第２の出力ソースを選択する出力ソース選択手段と、第１の記録ソース又は第２の記録ソースを選択する記録ソース選択手段とは、装置本体の同一の操作パネル面内に配設されている。
【００２４】
例えば、出力ソースや記録ソースを選択する場合に、ソース選択の操作の際に手元を確認しながら、選択したソースが何であったかその操作結果をユーザは視点をさほど動かすことなく確認でき、ユーザにとって操作確認が容易になる。
【００２５】
この発明の録再装置によれば、第１の表示部と第２の表示部とは、１個の表示面内の異なる領域を占めて、設けられる。
【００２６】
例えば、１個の表示面内において、出力ソースに対応した絵図と記録ソースに対応した絵図とを隣り合わせて表示すれば、ユーザは、出力ソースがどのソースで、記録ソースがどのソースであるかを容易に見分けることができる。
【００２７】
この発明の録再装置によれば、絵図の動画表現は、絵図の形状を保持しつつ色の変化及び／又は該絵図を構成する少なくとも一部画素の点滅となっている。
【００２８】
色変化及び画素点滅による動画表現は、移動を伴わずに動画表現できるので、動画絵図の表示に必要な面積を節約できる。
【００２９】
この発明の録再装置によれば、選択された記録ソースに対応した絵図には、記録ソースへの記録の許可／不許可状態を示す絵図部分が含まれている。
【００３０】
例えばＭＤやカセットテープ等の媒体には、記録の許可及び禁止を設定できる爪が存在し、ユーザは爪を操作して、爪の位置を切替えることにより、該媒体への記録の許可及び禁止を切替えることができるようになっている。ソースに対応した絵図に、該記録ソースの記録許可状態を示す絵図部分が含まれていることにより、ユーザは、記録ソースの媒体自体を調べることなく、ソースの表示から該記録ソースの記録許可状態を知ることができる。
【００３１】
この発明の録再装置によれば、記録ソースがカセットである場合に、記録モードとしてノーマル、ハイ、及びメタルが設定され、カセットが記録ソースとして選択されたときの記録ソースに対応した絵図には、ノーマル、ハイ、及びメタルを示す絵図部分が含まれている。
【００３２】
カセットテープへ録音する場合、ユーザは、ノーマル、ハイ、及びメタルを所定のレバーで指定することがある。ユーザは、記録ソースとして選択されたカセットの絵図をディスプレーにおいて見ることにより、分かり難いレバー位置より、迅速に知ることができる。
【００３３】
この発明の録再装置によれば、出力ソース及び記録ソースについて、それらソースの装填状態及び未装填状態の絵図が設定され、  ユーザにより選択された出力ソース及び記録ソースについて、ソースの装填状態及び未装填状態に応じて装填状態及び未装填状態の絵図をそれぞれ表示する。
【００３４】
ユーザは、情報の記録を開始するときに、ディスプレーの絵図から、ソースとして用いられる記録媒体の装填／未装填を迅速に知ることができる。
【００３５】
この発明の録再装置によれば、ワンタッチ操作で、出力ソース及び記録ソースを選択し、出力ソースの再生速度と記録ソースの記録速度とを等しく設定し、出力ソースから出力された情報を記録ソースで記録し、出力ソースに対応した絵図及び出力ソースに対応した絵図の表示の動画表現の変化を同期させるワンタッチキーをさらに備えた。
【００３６】
例えば、ユーザに便宜を与えるために、Ｏ．Ｔ．Ｅ．（Ｏｎｅ  Ｔｏｕｃｈ  Ｅｄｉｔ：ワンタッチエディト）を設定し、ユーザがＯ．Ｔ．Ｅ．のキーを操作すると、自動的にＣＤの全トラックをＭＤへダビングする処理が設定されることがある。このような場合には、前記出力ソースにおける情報の再生速度と前記記録ソースにおける情報の記録速度は等しくし、かつ前記出力ソースに対応しした絵図の動画表現の変化と前記記録ソースに対応した絵図の動画表現の変化とは同期させる。同期を表す方式としては、例えば、ＣＤ及びＭＤの絵図に白抜き部（例えば、この白抜き部はディスクからの光反射を意味するようなものとされる。）を設定し、この白抜き部を回転させて、ＣＤ及びＭＤの回転を表すようにし、さらに、この白抜き部の回転角度が回転の位相を表すようにして、ＣＤ及びＭＤの白抜き部の回転角度が常時、相互に等しくなるように、白抜き部を回転させる。こうして、ユーザは、ワンタッチ操作による記録が実施されていることを迅速に把握できる。
【００３７】
【発明の実施の形態】
以下、発明の実施の形態について図面を参照して説明する。
図１はオーディオ装置本体１０の正面図である。オーディオ装置本体１０は、図示していない左右のスピーカと共に１個のオーディオシステムを構成する。オーディオ装置本体１０には、アンプ部、チューナ部、ＣＤプレーヤ部、及びＭＤ録再部が一体化されており、オーディオ装置本体１０の正面側は操作パネル１１となって、パワースイッチ１２等の操作部材が配備されている。なお、オーディオ装置本体１０には、テープ録再部を追加したり、ＭＤ録再部をテープ録再部に置き換えたり、種々のバリエーションがある。ユーザからのオーディオ装置本体１０への各種指示は、操作パネル１１におけるパワースイッチ１２等の操作部材を直接、触れる他に、図示していないリモコンのキーを操作することによっても可能となっている。パワースイッチ１２はパワーの入切を切替え、チューナ選択キー１３、ＣＤ再生・休止キー１４、ＭＤ再生・休止キー１５、及び外部入力選択キー１８は、スピーカから出力するオーディオソースとしてそれぞれチューナ、ＣＤ、ＭＤ、及び外部入力を選択する際に押し操作される。ＣＤ再生・休止キー１４及びＭＤ再生・休止キー１５は、押されるごとに再生と一時停止とを交互に繰り返すようになっている。録音キー１７は、入力オーディオソースとしてチューナ、ＣＤ、及び外部入力が選択されているときに、押し操作されると、それらのオーディオソースをＭＤへ記録する。音量調整つまみ１９は、回転位置を調整することにより、スピーカからの音量を調整する。ＣＤ用スロット２３は、ＣＤがオーディオ装置本体１０内へ出入りするスロットであり、ＭＤ挿入部２４はオーディオ装置本体１０内へのＭＤの出入り部である。絵図のきめ細かな動画表現の可能な液晶表示部２６は、いわゆるフルドット表示が可能であり、この１個の表示面内に後述の絵図を始めとする各種情報が表示されるようになっている。
【００３８】
図２は、オーディオ装置本体１０において、ユーザがいずれかのオーディオソースを選択した場合に、どのオーディオソースを選択したか、また、その選択されたオーディオソースの動作状態を液晶表示部２６に絵図を用いて示すための各オーディオソースに対応して定められた絵図を示し、各絵図は、左から右へ順に、（ａ）テープ録再部の場合、（ｂ）ＭＤ録再部の場合、（ｃ）ＣＤプレーヤ部の場合、（ｄ）チューナ部の場合、（ｅ）外部入力の場合、を例えばそのオーディオソースで用いられる記録媒体の絵図を用いて示している。
【００３９】
図３はテープ録再部が選択されてカセットテープが再生又は録音で作動しているときの一連のこまを表示順に左から右へ並べて示している。ユーザがテープ録再部を選択した場合、図２（ａ）のカセットテープの絵図が液晶表示部２６に表示されてテープ録再部が選択されたことが示され、次にテープ録再部が動作中は、カセットテープの絵図は、例えば計４個のこまを所定時間間隔でかつサイクリック（最右端のこまの次は最左端のこまに戻る。）に液晶表示部２６に動画表現で表示変化することにより、左右のリールが回転しているように映る（図３参照）。
【００４０】
図４はＭＤ録再部が選択されてＭＤが再生又は録音しているときの一連のこまを表示順に左から右へ並べて示している。ユーザがＭＤ録再部を選択した場合、図２（ｂ）のＭＤの絵図が液晶表示部２６に表示されてＭＤ録再部が選択されたことが示され、次にＭＤ録再部が動作中は、これらＭＤの各絵図は、ディスクの所定方向の直径部が白抜き部（この白抜き部はディスクからの光反射を意味している。）をもち、この白抜き部が矢印方向へ左側の絵図から順番に等角度間隔ずつ増大している。ＭＤの絵図は、例えば計８個のこまを所定時間間隔でかつサイクリックに動画表現で液晶表示部２６に表示変化することにより、カートリッジ内のディスクが時計方向へ回転しているように映る（図４参照）。
【００４１】
図５はＣＤプレーヤ部が選択されてＣＤが再生しているときの一連のこまを表示順に左から右へ並べて示している。ユーザがＣＤプレーヤ部を選択した場合、図２（ｃ）のＣＤの絵図が液晶表示部２６に表示されてＣＤプレーヤ部が選択されたことが示され、次にＣＤプレーヤ部が動作中は、これらＣＤの各絵図は、ディスクの所定方向の直径部が白抜き部（この白抜き部はディスクからの光反射を意味している。）をもち、この白抜き部が矢印方向へ左側の絵図から順番に等角度間隔ずつ増大している。ＣＤの絵図は、例えば計８個のこまを所定時間間隔でかつサイクリックに液晶表示部２６に動画表現で表示変化することにより、ディスクが時計方向へ回転しているように映る（図５参照）。
【００４２】
図６はチューナ部に関する絵図を示している。図６の左側の絵図（電波無しのラジオ塔のみの絵図）は、ユーザがチューナを選択したときに、液晶表示部２６に表示されるものであり、図６の右側の絵図（電波有りのラジオ塔のみの絵図）は、ユーザがチューナを選択していて、所定の放送に同調したときに、液晶表示部２６に表示されるものである。
【００４３】
図７は再生ソースとしてＣＤプレーヤ部が選択されていて、一時休止（ポーズ）されているときに液晶表示部２６に表示される絵図を示している。ＣＤプレーヤ部の休止状態では、図７の左側のこま（直径方向の白抜き部無し）と右側のこま（直径方向の白抜き部有り）とが所定時間間隔で交互に繰り返されて液晶表示部２６に表示されるようになっている。なお、ＭＤを再生中に一時休止したときの動画絵図は、図示を省略しているが、図７のＣＤと同じように処理する。すなわち、図２の左から２番目の絵図のこまと共に、その白抜き部を黒で塗り潰した絵図のこまを用意し、それらを所定時間間隔で交互に表示するようにする。
【００４４】
図８はラジオ放送をＭＤへ録音する場合の液晶表示部２６の表示内容を示している。ユーザが出力側ソースとしてチューナを選択すると、液晶表示部２６の左半部には、チューナに対応した図２（ｄ）に示すような絵図が表示され、また記録側ソースとしてＭＤ録再部を選択すると、液晶表示部２６の右半部には、  ＭＤ録再部に対応した図２（ｂ）に示すような絵図が表示される。そしてラジオ放送をＭＤに録音中は、液晶表示部２６において、上端部及び下端部にはそれぞれオーディオソース及び記録ソースの情報が文字及び／又は数値で表示され、上下の端部を除いた上下方向中央範囲で、左半部には同調時のチューナに対応した絵図が表示され、また、右半部には、ＭＤ録再部に対応した絵図が動画表現で変化する。したがって、図８では、液晶表示部２６の左半部には、オーディオソースとして選択されかつ所定のラジオ放送への同調状態（＝所定電界強度以上の電波を受信している状態）を意味する電波付きラジオ塔の絵図が表示され、液晶表示部２６の右半部には記録側ソースとして選択されたＭＤ録再部を表わすＭＤの絵図が図４の動画表現で表示変化する。ユーザは液晶表示部２６の右半部のＭＤの絵図がディスク部を回転させる動画表現になっていることを見て、ＭＤへの記録中であることを視覚的に認識できる。また、図８において、上端部の文字及び数値「ＦＭ  Ｐ０１  ８１．３０ＭＨｚ」は、プリセット番号０１としてプリセットされている周波数８１．３０ＭＨｚのＦＭ放送が選局されていることを示しており、また、２個の絵図の下側の数値「０１０  ６４：５５Ｒ」は、ＭＤにおけるオーディオの記録はトラック１０番になされ、かつ記録可能な残り時間が残り６４分５５秒であることを示している。
【００４５】
図９はＣＤの楽曲をＭＤへ録音しているときの液晶表示部２６の表示内容を示している。なお、この記録は、ユーザがハンディリモコンのＯ．Ｔ．Ｅ．キーをワンタッチ操作することにより実行される。このキーを操作すると、ＣＤの全楽曲がＭＤへ自動的にダビングされる。すなわち、Ｏ．Ｔ．Ｅ．キーの操作により、出力側ソースとしてＣＤプレーヤ部が選択されて、液晶表示部２６の左半部には、ＣＤプレーヤ部に対応した図２（ｄ）に示すような絵図が表示され、また、記録側ソースとしてＭＤ録再部が選択されて、液晶表示部２６の右半部には、ＭＤ録再部に対応した図２（ｂ）に示すような絵図が表示される。そして、ＣＤプレーヤ部からＭＤ録再部に録音中は、液晶表示部では、ＣＤ及びＭＤの絵図は、共に、それぞれ図５及び図４の動画表現で表示変化し、ディスクが回転しているように映る。そして、この記録はＯ．Ｔ．Ｅ．であるため、ＣＤ及びＭＤの絵図の動画表現の表示変化に同期を付けている。すなわち、ＣＤ及びＭＤの動画表現の表示変化は、それぞれ図５及び図６のこまの流れに従うとともに、図５及び図６における左からの順番が同一のこま同士が同時に液晶表示部２６に表示されるようになっており、これにより、ＣＤの回転角度を表す白抜き部とＭＤの回転角度を表す白抜き部との回転角度は相互に等しくされる。なお、図９において、上端部の文字及び数値「ＣＤ  ０１  １：５６」は、ＣＤのトラック１が再生されていて、再生時間は該トラック１の再生開始から１分５６秒経過したことの情報を示しており、また、下端部の数値「０９０  ７２：４７Ｒ」は、ＭＤにおけるオーディオの記録はトラック９番になされ、かつ記録可能な残り時間があと７２分４７秒であることを示している。
【００４６】
なお、Ｏ．Ｔ．Ｅ．による記録でなく、ユーザが再生側オーディオソースとしてのＣＤプレーヤ部を、また、記録側オーディオソースとしてＭＤ録再部を順次選択して、オーディオ装置本体１０の録音キー１７やリモコンの録音キー（図示せず）を操作して、ＣＤからＭＤへの録音を実施するときのＣＤ及びＭＤの絵図の表現は、図９の表現から前述の同期表現が含まれない以外は同一である。すなわち、録音キー１７操作等による録音では、ユーザのキーの操作により、まず、出力側ソースとしてＣＤプレーヤ部が選択されて、液晶表示部２６の左半部には、ＣＤプレーヤ部に対応した図２（ｃ）に示すような絵図が表示され、次に、記録側ソースとしてＭＤ録再部が選択されて、液晶表示部２６の右半部には、ＭＤ録再部に対応した図２（ｂ）に示すような絵図が表示される。そして、ＣＤプレーヤ部からＭＤ録再部に録音中は、ＣＤ及びＭＤの絵図の白抜き部は、相互に同一回転角になることなく、相違した回転角を維持する。
【００４７】
また、ユーザは、ＣＤからＭＤへのダビングでは、通常速と２倍速との２通りの記録速度を選択でき、２倍速を選択した場合は、記録時間が通常速の記録時間の半分で済む。２倍速による記録におけるＣＤ及びＭＤの絵図におけるディスク回転速度（この回転速度は、白抜き部の回転速度（表示の変化速度）からユーザに理解される。）は、通常速による記録におけるＣＤ及びＭＤの絵図におけるディスク回転速度（表示の変化速度）の２倍となる。こうして、ユーザは、液晶表示部２６におけるＣＤ及びＭＤの絵図におけるディスク回転速度から今回の記録が通常速で行われているか、２倍速で行われているかを知ることができる。なお、Ｏ．Ｔ．Ｅ．による倍速記録及び通常速度では、倍速及び通常速に対応する回転速度でＣＤ及びＭＤの絵図が回転（表示変化）するだけでなく、前述したように、回転位相を示す白抜き部の回転位置が相互に等しくなるように、回転の動画表現の変化に同期を付けられている。
【００４８】
このように、  録再装置は、情報を出力するソースＡと、ソースＡから出力された情報を記録可能なソースＢとを備えている場合において、ユーザが出力側ソースとしてソースＡを選択すると、液晶表示部２６の左半部にはソースＡに対応した絵図Ａが表示され、また記録側ソースとしてあるソースＢを選択すると、液晶表示部２６の右半部にはソースＢに対応した絵図Ｂが表示されるようになっている。この例では、出力側ソース、記録側ソースの種類に拘わらず、ユーザが出力側ソースを選択すると、出力側ソースに対応した絵図は液晶表示部２６の左半部に表示され、記録側ソースを選択すると、記録側ソースに対応した絵図は液晶表示部２６の右半部を含んだ位置に必ず表示されるようになっており、柔軟性に富んだ絵図の表現が可能となっている。すなわち、少なくとも液晶表示部２６は、その左半部及び右半部に第１の表示点及び第２の表示点をそれぞれ含み、ユーザが出力側ソースを選択すると、出力側ソースに対応した絵図はこの第１の表示点を含んだ位置に表示され、記録側ソースを選択すると、記録側ソースに対応した絵図はこの第２の表示点を含んだ位置に表示されるようになっている。そして、ソースＡ（出力側ソース）からソースＢ（記録側ソース）に録音中は、液晶表示部２６にそれぞれ表示された絵図Ａ、Ｂは、その表示位置で、出力、記録状況に応じて動画表現で変化するようになっている（上述の例では、チューナに対応した絵図については表示変化せず、少なくとも液晶表示部２６に表示されソースＢ（記録側ソース）に対応した絵図は、録音中は、その表示位置で、記録状況に応じて動画表現で変化する。）。
【００４９】
図１０はＭＤについてそのプロテクト情報も含む絵図を示している。なお、図９までのＭＤの絵図には、プロテクト情報は含まれていない。図１０には、３個のＭＤの絵図が記載されており、各絵図において下辺の左端部にプロテクト情報の絵図部分が表示され、左側の絵図から順番に、録音禁止（＝プロテクト有り）、録音許可（＝プロテクト無し）、及びプリマスタードディスクをそれぞれ意味する。図１０の絵図を使用した場合には、ユーザがＭＤ録再部をソースとして選択すると、オーディオ装置本体１０に現在、装填されているＭＤについてそのプロテクト情報も含む絵図が液晶表示部２６に表示されるので、ユーザは、ＭＤを直接、見ることなく、直ちにそのＭＤのプロテクト状態を知ることができる。
【００５０】
図１１はカセットテープについてそのプロテクト情報も含む絵図を示している。なお、図９までのカセットテープの絵図には、プロテクト情報は含まれていない。図１１には、３個のカセットテープの絵図が記載されており、各絵図において、上辺部にプロテクト情報の絵図部分が表示され、左側の絵図から順番に、Ａ，Ｂの両面共に録音禁止、カセットテープの今回の装填においてＡ面を手前として装填した場合はＡ面が録音禁止、及びＡ，Ｂの両面共に録音許可をそれぞれ意味する。図１１の絵図を使用した場合には、ユーザがカセットをソースとして選択すると、カセットテープについてそのプロテクト情報も含む絵図が液晶表示部２６に表示されるので、ユーザは、カセットテープを直接、見ることなく、直ちにそのカセットテープのプロテクト状態を知ることができる。
【００５１】
図１２はカセットテープの記録モード情報を含む絵図を示している。図１２には、３個のカセットテープの絵図が記載されているが、左側から順番に、ノーマル、ハイ、及びメタルの記録モードをそれぞれ意味する。図１２の絵図を使用した場合には、ユーザがカセットをソースとして選択すると、カセットテープについての記録モード情報を含む絵図が液晶表示部２６に表示されるので、ユーザは、カセットテープを直接、見ることなく、直ちにそのカセットテープの記録モードを知ることができる。
【００５２】
図１３はＭＤ及びカセットテープがオーディオ装置本体１０に装填されていないことを意味する絵図を示している。図１３の絵図を未装填状態を表すものとして使用される場合は、前述の図２において左から２番目及び１番目の絵図は、それぞれＭＤ及びカセットテープが装填状態を表すものとして使用される。図１３の絵図では、図２において黒く塗り潰されている部分が白抜きとされ、輪郭線のみとなっている。ユーザが、ＭＤ録再部又はカセットをソースとして選択したときに、そのソースで用いる記録媒体が装填されているか否かの情報を含む絵図が液晶表示部２６に表示されるので、ユーザは、自分がソースで用いる記録媒体としてのＭＤ又はカセットテープが本当にオーディオ装置本体１０に装填されているか否かを液晶表示部２６の表示から直ちに知ることができる。
【図面の簡単な説明】
【図１】オーディオ装置本体の正面図である。
【図２】オーディオ装置本体においてオーディオソースに対応したの絵図を示す図である。
【図３】録音で作動しているときの一連のこまを表示順に左から右へ並べて示す図である。
【図４】録音しているときの一連のこまを表示順に左から右へ並べて示す図である。
【図５】ＣＤプレーヤ部が選択されてＣＤが再生しているときの一連のこまを表示順に左から右へ並べて示す図である。
【図６】チューナ部に関する絵図を示す図である。
【図７】再生ソースとしてＣＤプレーヤ部が選択されていて、一時休止（ポーズ）されているときに液晶表示部に表示される絵図を示す図である。
【図８】ラジオ放送をＭＤへ録音する場合の液晶表示部の表示内容を示す図である。
【図９】ＣＤの楽曲をＭＤへ録音しているときの液晶表示部の表示内容を示す図である。
【図１０】ＭＤについてそのプロテクト情報も含む絵図を示す図である。
【図１１】カセットテープについてそのプロテクト情報も含む絵図を示す図である。
【図１２】カセットテープの記録モード情報を含む絵図を示す図である。
【図１３】ＭＤ及びカセットテープがオーディオ装置本体に装填されていないことを意味する絵図を示す図である。
【符号の説明】
１０    オーディオ装置本体（録再装置）
２６    液晶表示部（ディスプレー）
【図１】
0003607168.tif 000002
【図２】
0003607168.tif 000003
【図３】
0003607168.tif 000004
【図４】
0003607168.tif 000005
【図５】
0003607168.tif 000006
【図６】
0003607168.tif 000007
【図７】
0003607168.tif 000008
【図８】
0003607168.tif 000009
【図９】
0003607168.tif 000010
【図１０】
0003607168.tif 000011
【図１１】
0003607168.tif 000012
【図１２】
0003607168.tif 000013
【図１３】
0003607168.tif 000014